(57)【要約】【課題】腕金の端部の開口を確実に塞ぐ腕金用営巣防止具を提供する。【解決手段】営巣防止具１０は、ピン碍子Ｐｉを端部に取り付けた腕金Ａの端部の開口を塞ぐことができる。営巣防止具１０は、有底箱形のキャップ本体１１、把持部１２、及び、鍔部１３を備える。キャップ本体１１は、一端部を開口し、腕金Ａの端部を外側から覆うことができる。把持部１２は、キャップ本体１１の外周方向に延び、絶縁操作棒５の工具部５２に設けた一対の把持腕５ａ・５ｂで把持できる。鍔部１３は、キャップ本体１１の開口側から延在し、先端縁から切り欠いた切り欠き部１３ｄを有する。切り欠き部１３ｄに支持ボルトＢｓを導入した状態から、支持ボルトＢｓに螺合したナット部材Ｎを鍔部１３に締結することで、営巣防止具１０を腕金Ａの端部に固定できる。【選択図】図１
2020048513.tif 000002
【特許請求の範囲】
【請求項１】
ピン碍子を端部に取り付けた腕金の端部の開口を塞ぐ腕金用営巣防止具であって、
前記腕金を端部の開口側から内部に導入自在に一端部を開口し、他端部を閉塞し、前記腕金の端部を外側から覆う有底箱形のキャップ本体と、
前記キャップ本体の外周方向に延び、間接活線工事用の絶縁操作棒で把持できる把持部と、
前記キャップ本体の開口側から部分的に延在した板状の鍔部と、を備え、
前記鍔部は、先端縁から切り欠き、前記ピン碍子を支持する支持ボルトを外周方向から導入できる切り欠き部を有し、
前記鍔部の切り欠き部に前記支持ボルトを導入した状態から、支持ボルトに螺合した一つ以上のナット部材を前記鍔部に締結することで、前記腕金の端部に固定できる、腕金用営巣防止具。
【請求項２】
前記把持部は、基端縁を前記キャップ本体の外周に固定した固定把持板からなる、請求項１記載の腕金用営巣防止具。
【請求項３】
前記把持部は、基端縁を前記キャップ本体の外周に回動自在に連結した可動把持板からなり、
前記可動把持板は、前記支持ボルトを先端部から導入でき、前記支持ボルトに螺合した一つ以上のナット部材の脱落を防止するナット脱落防止用の長穴を中央部に開口している、請求項１記載の腕金用営巣防止具。
【発明の詳細な説明】
【技術分野】
【０００１】
本発明は、腕金用営巣防止具に関する。特に、絶縁操作棒を用いて、無停電状態で電気工事を実施できる間接活線工事に適した腕金用営巣防止具であって、腕金の端部の開口から鳥類などが進入して営巣することを防止する腕金用営巣防止具の構造に関する。
【背景技術】
【０００２】
例えば、電柱は、四角パイプ状の腕金を略水平状態で装架している。腕金は、ピン碍子を介して、架空送電線を支持している。従来から、腕金の端部の開口から鳥類などが進入して営巣すること防止するために、発砲スチロールなどを腕金の開口に埋め込んで、腕金の端部の開口を閉塞していた。しかし、発砲スチロールは、その材質の脆さから、経年変化などで腕金から脱落するなど、腕金の開口を閉塞し続けることが困難であった。
【０００３】
上述した不具合を解消するため、腕金の端部の開口から腕金の内部に進入容易な四角柱状の胴体部、胴体部の外周から突出し、腕金の内壁に当接自在な一つ以上の襞部、胴体部の基端部に形成し、腕金の端部の開口を塞ぐ蓋部、及び、蓋部の外周から突出し、間接活線工事用の絶縁操作棒で把持できる把持部で構成した、腕金用営巣防止具が開示されている（例えば、特許文献１参照）。
【先行技術文献】
【特許文献】
【０００４】
【特許文献１】特開２０１７−２０９０１８号公報
【発明の概要】
【発明が解決しようとする課題】
【０００５】
図１４は、従来技術による腕金用営巣防止具の構成を示す斜視図である。なお、本願の図１４は、特許文献１の図２に相当している。
【０００６】
図１４を参照すると、従来技術による腕金用営巣防止具（以下、営巣防止具と略称する）９は、内部に空洞を有する四角柱状の胴体部９１と一組の襞部９２１・９２２を備えている。又、営巣防止具９は、四角板状の蓋部９３と把持部９４を備えている。
【０００７】
図１４を参照すると、胴体部９１は、腕金Ａの端部の開口から腕金Ａの内部に進入できる。又、胴体部９１は、腕金Ａに開口したボルト穴Ｈｂに挿通される、図示しないピン碍子の支持ボルトを逃げる切り欠き溝９１ｄを先端部に切り欠いている。
【０００８】
図１４を参照すると、一組の襞部９２１・９２２は、胴体部９１の外周から連続して突出している。胴体部９１を腕金Ａの内部に進入すると、一組の襞部９２１・９２２は、腕金Ａから脱落困難に腕金Ａの内壁に当接できる。
【０００９】
図１４を参照すると、蓋部９３は、胴体部９１の基端部に形成されている。そして、胴体部９１が腕金Ａの内部に挿入された状態では、蓋部９３は、腕金Ａの開口を塞ぐことができる。
【００１０】
図１４を参照すると、把持部９４は、蓋部９３の外周から部分的に突出している。把持部９４は、間接活線工事用の絶縁操作棒（図示せず）で把持できる。営巣防止具９は、弾性変形が容易な合成樹脂で形成している。
【００１１】
特許文献１による営巣防止具９は、間接活線工事用の絶縁操作棒で把持できる把持部９４を有しているので、無停電状態で営巣防止具９を腕金Ａに取り付けることができる、としている。又、特許文献１による営巣防止具９は、腕金Ａの内壁に当接自在な一つ以上の襞部を有しているので、腕金Ａから脱落するリスクを軽減できる、としている。
【００１２】
しかしながら、特許文献１による営巣防止具は、振動などにより、腕金から脱落する心配がある。腕金に確実に固定できる腕金用営巣防止具が求められている。
【００１３】
又、特許文献１による営巣防止具は、腕金の開口に埋め込んだ発泡スチロールが腕金から脱落するまでは、発泡スチロールを腕金から除去する必要がある。しかし、間接活線工具を用いて、発泡スチロールを腕金から除去することは容易でなく、発泡スチロールを除去する過程では、発泡スチロールの破片が地上に散乱する心配がある。
【００１４】
発泡スチロールを腕金から除去することなく、間接活線工事用の絶縁操作棒を用いて、腕金の端部の開口を塞ぐ腕金用営巣防止具が求められている。そして、以上のことが本発明の課題といってよい。
【００１５】
本発明は、このような課題に鑑みてなされたものであり、腕金の開口に埋め込んだ発泡スチロールを腕金から除去することなく、間接活線工事用の絶縁操作棒を用いて、腕金の端部の開口を確実に塞ぐ腕金用営巣防止具を提供することを目的とする。
【課題を解決するための手段】
【００１６】
本発明者は、腕金の端部を外側から覆う有底箱形のキャップ本体、キャップ本体の外周方向に延びる把持部、及び、キャップ本体の開口側から延在し、切り欠き部を先端部側に有する鍔部で、腕金用営巣防止具を構成し、鍔部の切り欠き部にピン碍子の支持ボルトを導入し、鍔部をナットで腕金に締結することで、上記の課題を解決できると考え、これに基づいて、以下のような新たな腕金用営巣防止具を発明するに至った。
【００１７】
（１）本発明による腕金用営巣防止具は、ピン碍子を端部に取り付けた腕金の端部の開口を塞ぐ腕金用営巣防止具であって、前記腕金を端部の開口側から内部に導入自在に一端部を開口し、他端部を閉塞し、前記腕金の端部を外側から覆う有底箱形のキャップ本体と、前記キャップ本体の開口側から部分的に延在した板状の鍔部と、を備え、前記鍔部は、先端縁から切り欠き、前記ピン碍子を支持する支持ボルトを外周方向から導入できる切り欠き部を有し、前記鍔部の切り欠き部に前記支持ボルトを導入した状態から、支持ボルトに螺合した一つ以上のナット部材を前記鍔部に締結することで、前記腕金の端部に固定できる。
【００１８】
（２）前記把持部は、基端縁を前記キャップ本体の外周に固定した固定把持板からなってもよい。
【００１９】
（３）前記把持部は、基端縁を前記キャップ本体の外周に回動自在に連結した可動把持板からなり、前記可動把持板は、前記支持ボルトを先端部から導入でき、前記支持ボルトに螺合した一つ以上のナット部材の脱落を防止するナット脱落防止用の長穴を中央部に開口していてもよい。
【発明の効果】
【００２０】
本発明による腕金用営巣防止具は、他端部を閉塞し、腕金の端部を外側から覆う有底箱形のキャップ本体を備えているので、劣化した発泡スチロールを取り除くことなく、腕金の端部の開口を塞ぐことができる。
【００２１】
又、本発明による腕金用営巣防止具は、ピン碍子を支持する支持ボルトを外周方向から導入できる切り欠き部を有する鍔部をキャップ本体の開口側から延在しているので、支持ボルトに螺合した一つ以上のナット部材を鍔部に締結することで、腕金用営巣防止具を腕金の端部に確実に定できる。
【図面の簡単な説明】
【００２２】
【図１】本発明の一実施形態による腕金用営巣防止具の構成を示す斜視図である。
【図２】前記実施形態による腕金用営巣防止具を拡大した斜視図であり、図２（Ａ）は、腕金用営巣防止具を正面側及び上面側から観た状態図、図２（Ｂ）は、金用営巣防止具を背面側及び上面側から観た状態図である。
【図３】前記実施形態による腕金用営巣防止具の構成を示す図であり、図３（Ａ）は、腕金用営巣防止具の縦断面図、図３（Ｂ）は、腕金用営巣防止具の背面図である。
【図４】前記実施形態による腕金用営巣防止具の使用状態を示す図であり、腕金用営巣防止具を腕金の端部に装着する前の状態図である。
【図５】前記実施形態による腕金用営巣防止具の使用状態を示す図であり、腕金用営巣防止具を腕金の端部に装着した状態図である。
【図６】本発明の他の実施形態による腕金用営巣防止具の構成を示す斜視図である。
【図７】他の実施形態による腕金用営巣防止具を拡大した斜視図であり、図７（Ａ）は、腕金用営巣防止具を正面側及び上面側から観た状態図、図７（Ｂ）は、金用営巣防止具を背面側及び上面側から観た状態図である。
【図８】他の実施形態による腕金用営巣防止具の構成を示す図であり、図８（Ａ）は、腕金用営巣防止具の縦断面図、図８（Ｂ）は、腕金用営巣防止具の背面図である。
【図９】他の実施形態による腕金用営巣防止具の使用状態を示す図であり、腕金用営巣防止具を腕金の端部に装着する前の状態図である。
【図１０】他の実施形態による腕金用営巣防止具の使用状態を示す図であり、腕金用営巣防止具を腕金の端部に装着した状態図である。
【図１１】他の実施形態による腕金用営巣防止具の使用状態を示す図であり、図１１（Ａ）は、可動把持板を反時計方向に回動して、可動把持板に開口した長穴に支持ボルトを押し込んだ状態図、図１１（Ｂ）は、図１１（Ａ）の下面図である。
【図１２】本発明による腕金用営巣防止具を操作するための絶縁操作棒の構成を示す正面図である。
【図１３】図１２の要部を拡大した正面図である。
【図１４】従来技術による腕金用営巣防止具の構成を示す斜視図である。
【発明を実施するための形態】
【００２３】
以下、図面を参照して本発明を実施するための形態を説明する。
【００２４】
本発明による腕金用営巣防止具の構成を説明する前に、本発明による腕金用営巣防止具を操作するための絶縁操作棒の構成を説明する。
【００２５】
（絶縁操作棒の構成）
図１２又は図１３を参照すると、絶縁操作棒５は、長尺の操作棒５１と工具部５２で構成している。又、絶縁操作棒５は、作動棒５３を備えている。工具部５２は、操作棒５１の先端部に取り付けている。
【００２６】
図１２又は図１３を参照すると、工具部５２は、開閉する一対の湾曲した把持腕５ａ・５ｂで構成している。そして、一方の把持腕５ａは、基端部が固定された固定腕であり、他方の把持腕５ｂは、一方の把持腕５ａの基端部に設けた回動軸５ｃを中心に回動する可動腕となっている。
【００２７】
図１２を参照すると、作動棒５３は、操作棒５１に沿って保持されている。作動棒５３の先端部は、他方の把持腕５ｂに回動自在に連結している。そして、作動棒５３の基端部に設けた操作レバー５４を操作すると、一方の把持腕５ａに対して、他方の把持腕５ｂを開閉できる。絶縁操作棒５は、操作棒５１及び作動棒５３の中間部が絶縁性を有するプラスチックパイプなどで構成され、間接活線工法に好適なように、絶縁性を確保している。
【００２８】
図１２を参照して、操作レバー５４を握って、操作レバー５４を操作棒５１に近づけると、一方の把持腕５ａに対して、他方の把持腕５ｂを閉じることができる。操作レバー５４を解放すると、操作レバー５４に連結したばね（図示せず）の力で、一方の把持腕５ａに対して、他方の把持腕５ｂを開くことができる。図１２又は図１３は、一方の把持腕５ａに対して、他方の把持腕５ｂが最大に開いた状態を示している。
【００２９】
図１２又は図１３を参照して、一方の把持腕５ａは、先細り状の把持爪５１ａを突出している。把持爪５１ａは、把持面５０ａを形成している。把持面５０ａは、回動軸５ｃの回転中心から遠心方向に沿って略平行に形成されている。同様に、他方の把持腕５ｂは、先細り状の把持爪５１ｂを突出している。把持爪５１ｂは、把持面５０ｂを形成している。把持面５０ｂは、把持面５０ａと所定の開角を設けて配置されている。図１２又は図１３を参照して、操作レバー５４を握ると、把持面５０ｂを把持面５０ａに近づけることができる。
【００３０】
図１２又は図１３に示した絶縁操作棒５は、高所に配置された高圧配電線などを一対の把持爪５１ａ・５１ｂで把持できる、いわゆる「絶縁ヤットコ」になっている。
【００３１】
［一実施形態］
（腕金用営巣防止具の構成）
次に、本発明の一実施形態による腕金用営巣防止具の構成を説明する。図１から図５を参照すると、本発明の一実施形態による腕金用営巣防止具（以下、営巣防止具と略称する）１０は、腕金Ａの端部に取り付けることができる。腕金Ａは、略水平状態で電柱Ｐに装架されている。又、腕金Ａは、ピン碍子Ｐｉを端部に取り付けている。
【００３２】
図１から図５を参照して、営巣防止具１０が腕金Ａの端部の開口Ｏｐを塞ぐことで、開口Ｏｐから鳥類などが進入して営巣することを防止できる。
【００３３】
図１から図５を参照すると、営巣防止具１０は、有底箱形のキャップ本体１１、把持部１２、及び、板状の鍔部１３を備えている。営巣防止具１０は、絶縁性を有する合成樹脂で構成することが好ましい。
【００３４】
図１から図５を参照すると、キャップ本体１１は、一端部を開口している。キャップ本体１１は、腕金Ａをその端部の開口Ｏｐ側から内部に導入できる。又、キャップ本体１１は、他端部を閉塞している。キャップ本体１１の内部に腕金Ａの端部を導入すると、キャップ本体１１は、腕金Ａの端部を外側から覆うことができる。
【００３５】
図１から図５を参照すると、把持部１２は、キャップ本体１１の外周方向に延びている。把持部１２は、間接活線工事用の絶縁操作棒５の工具部５２に設けた一対の把持腕５ａ・５ｂで把持できる（図４又は図５参照）。そして、絶縁操作棒５は、営巣防止具１０を操作できる。実施形態による把持部１２は、基端縁をキャップ本体１１の外周に固定した固定把持板からなっている。
【００３６】
図１から図５を参照すると、鍔部１３は、キャップ本体１１の開口側から部分的に延在している。図２（Ｂ）を参照すると、鍔部１３は、先端縁から切り欠いた切り欠き部１３ｄを有している。図４を参照して、ピン碍子Ｐｉを支持する支持ボルトＢｓに螺合したナット部材Ｎを緩めた状態で、腕金Ａをキャップ本体１１の内部に導入すると、切り欠き部１３ｄには、支持ボルトＢｓを外周方向から導入できる。
【００３７】
図５を参照して、鍔部１３の切り欠き部１３ｄに支持ボルトＢｓを導入した状態から、支持ボルトＢｓに螺合したナット部材Ｎを鍔部１３に締結することで、営巣防止具１０を腕金Ａの端部に固定できる。
【００３８】
（腕金用営巣防止具の作用）
次に、実施形態による営巣防止具１０の操作手順を説明しながら、営巣防止具１０の作用及び効果を説明する。
【００３９】
最初に、図４を参照して、支持ボルトＢｓに螺合したナット部材Ｎを緩めておく。次に、図１又は図４を参照して、一対の把持腕５ａ・５ｂで把持部１２を把持し、キャップ本体１１の開口と腕金Ａの端部の開口Ｏｐを対向配置する。
【００４０】
次に、図５を参照して、絶縁操作棒５を用いて（図１２又は図１３参照）、キャップ本体１１の内部に腕金Ａの端部を導入する。この状態では、切り欠き部１３ｄには、支持ボルトＢｓを外周方向から導入している。次に、支持ボルトＢｓに螺合したナット部材Ｎを鍔部１３に締結することで、営巣防止具１０を腕金Ａの端部に固定できる（図５参照）。
【００４１】
実施形態による営巣防止具１０は、他端部を閉塞し、腕金Ａの端部を外側から覆う有底箱形のキャップ本体１１を備えているので、劣化した発泡スチロールを取り除くことなく、腕金Ａの端部の開口を塞ぐことができる。
【００４２】
又、実施形態による営巣防止具１０は、支持ボルトＢｓに螺合したナット部材Ｎで鍔部１３を腕金Ａに締結しているので、営巣防止具１０を腕金Ａに確実に固定できる。
【００４３】
［別の実施形態］
（腕金用営巣防止具の構成）
次に、本発明の別の実施形態による腕金用営巣防止具の構成を説明する。図６から図１１を参照すると、本発明の別の実施形態による腕金用営巣防止具（以下、営巣防止具と略称する）２０は、腕金Ａの端部に取り付けることができる。営巣防止具２０が腕金Ａの端部の開口Ｏｐを塞ぐことで、開口Ｏｐから鳥類などが進入して営巣することを防止できる。
【００４４】
図６から図１１を参照すると、営巣防止具２０は、有底箱形のキャップ本体２１、把持部２２、及び、板状の鍔部２３を備えている。営巣防止具２０は、絶縁性を有する合成樹脂で構成することが好ましい。
【００４５】
図６から図８を参照すると、キャップ本体２１は、一端部を開口している。キャップ本体２１は、腕金Ａをその端部の開口Ｏｐ側から内部に導入できる。又、キャップ本体２１は、他端部を閉塞している。キャップ本体２１の内部に腕金Ａの端部を導入すると、キャップ本体２１は、腕金Ａの端部を外側から覆うことができる。
【００４６】
図６から図１１を参照すると、把持部２２は、キャップ本体２１の外周方向に延びている。把持部２２は、間接活線工事用の絶縁操作棒５の工具部５２に設けた一対の把持腕５ａ・５ｂで把持できる（図９から図１１参照）。実施形態による把持部２２は、基端縁をヒンジ２２ｈでキャップ本体２１の外周に回動自在に連結した可動把持板からなっている。
【００４７】
図７又は図８（Ｂ）を参照すると、把持部２２は、長穴２２１を中央部に開口している。図１０から図１１を参照して、把持部２２を反時計方向に回動すると、長穴２２１には、支持ボルトＢｓを先端部から導入できる。なお、ヒンジ２２ｈは、把持部２２の姿勢が維持できるように、緊締されている。
【００４８】
図６から図１０を参照すると、鍔部２３は、キャップ本体２１の開口側から部分的に延在している。図７（Ｂ）を参照すると、鍔部２３は、先端縁から切り欠いた切り欠き部２３ｄを有している。図９を参照して、ピン碍子Ｐｉを支持する支持ボルトＢｓに螺合したナット部材Ｎを緩めた状態で、腕金Ａをキャップ本体２１の内部に導入すると、切り欠き部２３ｄには、支持ボルトＢｓを外周方向から導入できる。
【００４９】
図１０を参照して、鍔部２３の切り欠き部２３ｄに支持ボルトＢｓを導入した状態から、支持ボルトＢｓに螺合したナット部材Ｎを鍔部２３に締結することで、営巣防止具２０を腕金Ａの端部に固定できる。
【００５０】
図１１を参照して、図１０に示した状態から、把持部２２を反時計方向に回動すると、支持ボルトＢｓの先端部側を長穴２２１に嵌合できる。そして、支持ボルトＢｓに螺合したナット部材Ｎの脱落を防止できる。
【００５１】
（腕金用営巣防止具の作用）
次に、別の実施形態による営巣防止具２０の操作手順を説明しながら、営巣防止具２０の作用及び効果を説明する。
【００５２】
最初に、図９を参照して、支持ボルトＢｓに螺合したナット部材Ｎを緩めておく。次に、図６又は図９を参照して、一対の把持腕５ａ・５ｂで把持部２２を把持し、キャップ本体２１の開口と腕金Ａの端部の開口Ｏｐを対向配置する。
【００５３】
次に、図９を参照して、絶縁操作棒５を用いて（図１２又は図１３参照）、キャップ本体２１の内部に腕金Ａの端部を導入する。この状態では、切り欠き部１３ｄには、支持ボルトＢｓを外周方向から導入している。次に、支持ボルトＢｓに螺合したナット部材Ｎを鍔部２３に締結することで、営巣防止具２０を腕金Ａの端部に固定できる（図１０参照）。
【００５４】
次に、図１１を参照して、図１０に示した状態から、把持部２２を反時計方向に回動すると、支持ボルトＢｓの先端部側を長穴２２１に嵌合できる。そして、ナット脱落防止キャップを用いることなく、支持ボルトＢｓに螺合したナット部材Ｎの脱落を防止できる。
【００５５】
別の実施形態による営巣防止具２０は、実施形態による営巣防止具１０と同様な効果を奏するが、別の実施形態による営巣防止具２０は、ナット脱落防止キャップを用いることなく、支持ボルトＢｓに螺合したナット部材Ｎの脱落を防止できる、という特別な効果がある。
【００５６】
本発明による腕金用営巣防止具は、以下の効果が期待できる。
（１）劣化した発泡スチロールを腕金から除去することなく、腕金用営巣防止具を腕金の端部に取り付けることができる。
（２）発泡スチロールの破片が地上に散乱する心配が無い。
（３）風などの振動によって腕金用営巣防止具が腕金から外れる心配が無くなる。
（４）間接活線工事用の絶縁操作棒を用いて、腕金用営巣防止具を腕金の端部に取り付けることができるので、安全であり安心である。
【符号の説明】
【００５７】
５  絶縁操作棒
１０  営巣防止具（腕金用営巣防止具）
１１  キャップ本体
１２  把持部
１３  鍔部
１３ｄ  切り欠き部
Ａ  腕金
Ｂｓ  支持ボルト
Ｎ  ナット部材
Ｐｉ  ピン碍子
【図１】
2020048513.tif 000003
【図２】
2020048513.tif 000004
【図３】
2020048513.tif 000005
【図４】
2020048513.tif 000006
【図５】
2020048513.tif 000007
【図６】
2020048513.tif 000008
【図７】
2020048513.tif 000009
【図８】
2020048513.tif 000010
【図９】
2020048513.tif 000011
【図１０】
2020048513.tif 000012
【図１１】
2020048513.tif 000013
【図１２】
2020048513.tif 000014
【図１３】
2020048513.tif 000015
【図１４】
2020048513.tif 000016